(57)【要約】【課題】販売機本体の動作態様とは独立して照明を動作させることを可能とした照明装置を備えた自動販売機を提供する。【解決手段】自動販売機１００は、展示用物品１１６を展示するための内部空間１１４を有する販売機本体１０１と展示用物品１１６を照明する照明装置１とを備えている。照明装置１は、外部電力源からの電力を蓄える二次電池と、二次電池から供給される電力により点灯する複数の光源４と、二次電池及び前記複数の光源を制御する制御部２３，２５と、二次電池、光源、及び制御部を搭載する回路基板３とを有しており、販売機本体１０１の内部空間１１４に着脱自在に装着されている。【選択図】図１
2014010527.tif 000002
【特許請求の範囲】
【請求項１】
展示用物品を展示するための内部空間を有する販売機本体と、前記販売機本体の内部空間に着脱自在に装着され、前記展示用物品を照明する照明装置とを備えており、
前記照明装置は、
外部電力源からの電力を蓄える二次電池と、
前記二次電池から供給される電力により点灯する複数の光源と、
前記二次電池及び前記複数の光源を制御する制御部と、
前記二次電池、前記光源、及び前記制御部を搭載する回路基板と、
を有することを特徴とする自動販売機。
【請求項２】
前記販売機本体の内部空間に着脱自在に装着される複数の前記照明装置を備えており、
前記複数の照明装置のうちのいずれかの前記制御部は、他の前記複数の照明装置の点灯制御を同期して行うことを特徴とする請求項１記載の自動販売機。
【請求項３】
前記照明装置は、前記回路基板を保持する保持部材を有することを特徴とする請求項１又は２記載の自動販売機。
【請求項４】
前記照明装置には、人体を感知するセンサ部が設けられたことを特徴とする請求項１〜３のいずれかに記載の自動販売機。
【請求項５】
前記センサ部は、前記照明装置に回転可能に取り付けられたセンサ素子と、前記販売機本体の前面パネルに対して前記センサ素子の方向を位置決めする位置決め手段とを備えたことを特徴とする請求項４記載の自動販売機。
【請求項６】
前記照明装置には、前記販売機本体の周囲の明るさを監視する照度センサが設けられたことを特徴とする請求項１〜５のいずれかに記載の自動販売機。
【請求項７】
前記照明装置には、前記二次電池を電源として前記光源を動作させるスイッチが設けられたことを特徴とする請求項１〜６のいずれかに記載の自動販売機。
【請求項８】
前記照明装置は、前記販売機本体の内部空間に回転自在に装着されることを特徴とする請求項１〜７のいずれかに記載の自動販売機。
【発明の詳細な説明】
【技術分野】
【０００１】
本発明は、例えば人感機能や充放電機能などの各種の機能を有する照明装置を備えた自動販売機に関するものである。
【背景技術】
【０００２】
従来の自動販売機は、消費電力を削減する省エネモードを備えており、待機状態にあるときに照明装置等を省エネモードにすることで消費電力の削減が行われている。この種の従来の自動販売機の一例としては、例えば商品サンプルを照明する複数のＬＥＤ照明装置と、利用者の存在の有無を検知した結果を示す検知信号を出力する人感センサとのそれぞれを販売機本体の商品展示室に組み込む構成が提案されている（例えば、特許文献１参照。）。
【０００３】
上記特許文献１記載の従来の自動販売機は、人感センサの検知結果などに基づき、販売機本体全体の動作を制御する制御装置により、ＬＥＤ照明装置を動作させるようになっている。人感センサにより商品展示室の前方の感知領域内に進入する利用者を感知すると、複数のＬＥＤ照明装置を点灯させ、人感センサにより利用者を感知しないときは、複数のＬＥＤ照明装置を減光又は消灯させることで、自動販売機の省エネルギー化が図られている。
【先行技術文献】
【特許文献】
【０００４】
【特許文献１】特開２００８−１０８１２８号公報
【発明の概要】
【発明が解決しようとする課題】
【０００５】
しかしながら、上記特許文献１に記載された従来の自動販売機は、販売機本体全体の動作を制御する制御装置により複数のＬＥＤ照明装置の動作を管理する構成であり、販売機本体に動作不良、誤動作や故障等が発生した場合は、システム全体として、省電力の効果が低下してしまうという問題点があった。
【０００６】
従って、本発明の目的は、販売機本体の動作態様とは独立して照明を動作させることを可能とした照明装置を備えた自動販売機を提供することにある。
【課題を解決するための手段】
【０００７】
［１］本発明は、展示用物品を展示するための内部空間を有する販売機本体と、前記販売機本体の内部空間に着脱自在に装着され、前記展示用物品を照明する照明装置とを備えており、前記照明装置は、外部電力源からの電力を蓄える二次電池と、前記二次電池から供給される電力により点灯する複数の光源と、前記二次電池及び前記複数の光源を制御する制御部と、前記二次電池、前記光源、及び前記制御部を搭載する回路基板と、を有することを特徴とする自動販売機にある。
【０００８】
［２］上記［１］記載の前記販売機本体の内部空間に着脱自在に装着される複数の前記照明装置を備えており、前記複数の照明装置のうちのいずれかの前記制御部は、他の前記複数の照明装置の点灯制御を同期して行うことを特徴とする。
【０００９】
［３］上記［１］又は［２］記載の前記照明装置は、前記回路基板を保持する保持部材を有することを特徴とする。
【００１０】
［４］上記［１］〜［３］のいずれかに記載の前記照明装置には、人体を感知するセンサ部が設けられたことを特徴とする。
【００１１】
［５］上記［４］記載の前記センサ部は、前記照明装置に回転可能に取り付けられたセンサ素子と、前記販売機本体の前面パネルに対して前記センサ素子の方向を位置決めする位置決め手段とを備えたことを特徴とする。
【００１２】
［６］上記［１］〜［５］のいずれかに記載の前記照明装置には、前記販売機本体の周囲の明るさを監視する照度センサが設けられたことを特徴とする。
【００１３】
［７］上記［１］〜［６］のいずれかに記載の前記照明装置には、前記二次電池を電源として前記光源を動作させるスイッチが設けられたことを特徴とする。
【００１４】
［８］上記［１］〜［７］のいずれかに記載の前記照明装置は、前記販売機本体の内部空間に回転自在に装着されることを特徴とする。
【発明の効果】
【００１５】
本発明によれば、販売機本体の動作に依存することなく、照明装置を独立して動作させることを可能とした自動販売機が効果的に得られる。
【図面の簡単な説明】
【００１６】
【図１】本発明の代表的な照明装置を説明するため図であり、（ａ）は側面透視図、（ｂ）は正面透視図である（第１の実施の形態）。
【図２】照明装置の内部構造を説明するための図である（第１の実施の形態）。
【図３】照明装置の電力供給部の構造を説明するための部分分解斜視図である（第１の実施の形態）。
【図４】照明装置の内部構成要素を説明するための機能ブロック図である（第１の実施の形態）。
【図５】照明装置のセンサ部の構造を説明するための分解斜視図である（第１の実施の形態）。
【図６】図１（ｂ）のＶＩ−ＶＩ線の矢視断面拡大図である（第１の実施の形態）。
【図７】照明装置のセンサ部の構造を説明するための斜視図である（第１の実施の形態）。
【図８】蛍光灯型ＬＥＤランプを備えた自動販売機の全体を示す正面図である（第２の実施の形態）。
【図９】自動販売機の展示スペースを右側面からみた断面概略図である（第２の実施の形態）。
【発明を実施するための形態】
【００１７】
以下、本発明の好適な実施の形態を添付図面に基づいて具体的に説明する。  
【００１８】
［第１の実施の形態］
（照明装置の構成）
図１（ａ）及び図１（ｂ）において、全体を示す符号１は、各種の飲料を販売する自動販売機に好適に用いられる蛍光灯型のＬＥＤ照明灯の一構成例を模式的に示している。このＬＥＤ照明灯１の外形構成は、円筒パイプからなるパイプ部材２と、パイプ部材２の両端を閉蓋するキャップ状の第１及び第２のカバー部材２１，３１とにより形成されている。
【００１９】
このＬＥＤ照明灯１のパイプ部材２は、例えばアクリル樹脂あるいはポリカーボネート樹脂などの光透過性を有する管状の保持部材からなる。このカバー部材２１，３１の材質としては、例えばアクリル樹脂あるいはポリカーボネート樹脂などの材料が用いられる。ここで、「管状の保持部材」とは、管又は筒からなる部材、並びに少なくとも２つの部材を組み合わせることで管又は筒となる部材などを含むものである。その断面は、例えば円形、楕円形、三角形、又は四角形等の矩形などの断面形状をなしていてもよい。
【００２０】
このパイプ部材２は、図１（ａ）、図１（ｂ）及び図２に示すように、内周面から径方向に突出し、内周面の長手方向に沿って平行に延びる一対の係合受部である凹部２ａが形成されている。この凹部２ａは、パイプ部材の中心軸線から偏った部位に形成されている。この凹部２ａには回路基板３の端縁が着脱可能に挿入固定されている。
【００２１】
この回路基板３は、パイプ部材２とカバー部材２１，３１との内部に保持される骨格部材として構成されている。回路基板３の材質としては、ガラス基材（例えば、ＦＲ−４等）又はエポキシ系・ポリエステル系コンポジット基材（例えば、ＣＥＭ−３等）などの材料が挙げられる。
【００２２】
図示例によれば、パイプ部材２の凹部２ａは、内周面の長手方向に沿って延びるレール状の凹凸部となっているが、これに限定されるものではなく、例えばパイプ部材２の内周面から径方向に窪んでおり、内周面の長手方向に沿って延びる溝状に形成してもよい。
【００２３】
この第１のカバー部材２１は、図１（ａ）、図１（ｂ）及び図３に示すように、パイプ部材２と回路基板３とに着脱可能に固定支持されている。第１のカバー部材２１には、パイプ部材２の第１の取付孔２ｂに挿入固定する一対の矩形板状の弾性支持突起２１ａ，２１ａが形成されるとともに、回路基板３の端部から幅方向に突出形成された突片３ａに嵌め込み固定する図示しない一対の凹部が形成されている。
【００２４】
この第１のカバー部材２１は更に、図３に示すように、外周面から凹状に形成された複数の回転凹部２１ｅ，…，２１ｅを有している。この回転凹部２１ｅにより、例えば相手方の取付対象物に設けられた凹凸状の取付部位に対して、ＬＥＤ照明灯１が回転可能に固定支持されるようになっており、その取付対象物の正面に向けてＬＥＤ照明灯１の照射面の角度が所要の角度となるように角度調整することができるように構成されている。
【００２５】
一方の第２のカバー部材３１は、図１（ａ）、図１（ｂ）及び図５に示すように、円筒状のケース部材３２と、ケース部材３２に着脱可能なキャップ部材３３とにより二分割構成とされている。このケース部材３２は、ジョイント部材３４を介してパイプ部材２に着脱可能に固定支持されている。このジョイント部材３４には、パイプ部材２の第２の取付孔２ｃに着脱可能に挿入固定する一対の矩形板状の弾性支持突起３４ａ，３４ａが形成されている。
【００２６】
（照明装置の内部構成）
以上のように構成されたＬＥＤ照明灯１の構成は、図示例に限定されるものではない。この第１の実施の形態に係るＬＥＤ照明灯１は、人感機能、充放電機能や照明機能などの各種の機能を集約一体化した構成に主要な構成を有している。
【００２７】
図示例におけるＬＥＤ照明灯１は、図１（ａ）〜図３及び図５に示すように、充放電機能を有する電力供給部２０と、人感機能を有するセンサ部３０とを回路基板３に備えている。このＬＥＤ照明灯１は、商用電源や太陽電池等の外部電力源を使用しないスタンドアローン型の照明装置である。従って、このＬＥＤ照明灯１は、一般的な蛍光灯ソケット部に接続させるための電源端子を備えた口金を有していない。
【００２８】
この回路基板３の第１の面には、図１（ａ）及び（ｂ）に示すように、照明機能を有する複数の発光素子であるＬＥＤ４，…，４を図示しない配線により直列接続したＬＥＤモジュール５が搭載されている。このＬＥＤ４は、回路基板３の対向する長辺の一辺寄りに所定の間隔をもって一列に配列されている。
【００２９】
この回路基板３のＬＥＤ搭載側とは反対側の第２の面には、図１（ａ）及び図２に示すように、電気的に直列に接続された複数の二次電池を電池収納箱内に収納した２つの電池パック２２，２２がパイプ部材２の長手方向に沿って搭載されている。この電池パック２２から供給される電力により、外部電力源から電力が供給されなくても、ＬＥＤモジュール５が点灯する。
【００３０】
二次電池としては、例えばニッケル水素二次電池やリチウムイオン二次電池などの充電可能な各種の電池が用いられる。この電池パック２２は、外部電力源からの電力を蓄えるものであり、１個であっても、２個以上であっても構わない。
【００３１】
この電池パック２２には、図１（ａ）及び図２に示すように、ステンレス材の板金を折り曲げ加工して形成された固定部材６が設けられている。この固定部材６は、電池パック２２の端部及び側部に配置されており、回路基板３の取付孔３ｂに嵌め込み固定支持されている。
【００３２】
（電力供給部の構成）
充電部となる電池パック２２に電力を供給する電力供給部２０は、図３及び図４に示すように、パイプ部材２の第１のカバー部材２１を備えている。この電力供給部２０は、二次電池を制御する充電制御部２３を備えている。この二次電池と充電制御部２３とにより、二次電池の充電のための回路部２４が構成される。この回路部２４には、ＬＥＤ照明灯１の全体動作を制御する統括制御部２５が電気的に接続されている。
【００３３】
この充電制御部２３は、図３及び図４に示すように、販売機本体側の電源を接続するＤＣジャック２６を備えており、太陽電池等の外部電力源で動作可能になっている。この充電制御部２３とＤＣジャック２６とは、回路基板３の第２の面に搭載されており、図示しない配線を介して接続されている。
【００３４】
このＤＣジャック２６には、図３及び図４に示すように、直方体形状の本体の一面にプラグ挿入孔２６ａが形成されている。第１のカバー部材２１には、ＤＣジャック２６のプラグ挿入孔２６ａと対応して挿入開口２１ｂが貫通して形成されている。このカバー部材２１の挿入開口２１ｂとＤＣジャック２６のプラグ挿入孔２６ａとを介して、ＤＣジャック２６が、外部電力源に接続された図示しないＤＣプラグと接続される。
【００３５】
このＤＣプラグが電源としてＤＣジャック２６に接続されると、電力供給部２０の動作が開始される。外部電力源の電力は、充電制御部２３へ供給される。この充電制御部２３には、電力供給部２０の制御に必要な制御パラメータ等が記憶されており、充電制御部２３の指令に基づき、二次電池に対する充電動作が行われるようになっている。
【００３６】
この充電制御部２３には、図４に示すように、二次電池の状態を表す状態表示部２７が備えられている。この状態表示部２７は、例えば二次電池における充電状態に応じて、充電中を表すＬＥＤを点灯、点滅又は消灯させたり、電池切れを表すＬＥＤを点灯、点滅又は消灯させたりするようになっている。
【００３７】
この充電制御部２３に接続された統括制御部２５は、図４に示すように、演算部や記憶部などの各種の構成要素からなるマイクロコンピュータからなり、外部電力源あるいは二次電池からの電力供給により動作し、記憶部内の各種のプログラムに応じてＬＥＤ照明灯１の全体動作を制御する。
【００３８】
この電力供給部２０は更に、図３及び図４に示すように、二次電池を電源として照明部であるＬＥＤモジュール５を点灯又は消灯させるための操作スイッチ２８を備えている。第１のカバー部材２１には、操作スイッチ２８を挿入する挿入開口２１ｃが貫通して形成されている。
【００３９】
この操作スイッチ２８は、使用者によって操作されるプッシュスイッチである。ＤＣプラグが電源としてＤＣジャック２６に接続されていない状態であっても、操作スイッチ２８は、二次電池を電源として統括制御部２５を介してＬＥＤモジュール５の発光を操作することに使用される。従って、例えば停電時あるいは災害時において、ＬＥＤ照明灯１を携帯可能な非常灯として利用することができる。
【００４０】
この回路基板３のＬＥＤ搭載側の第１の面には、図３及び図４に示すように、外部通信用ジャック２９が搭載されている。第１のカバー部材２１には、外部通信用ジャック２９を挿入する挿入開口２１ｄが貫通して形成されている。この外部通信用ジャック２９は、統括制御部２５とソーラーパネル２００のインジケータ部２０１との通信に利用される。
【００４１】
（センサ部の構成）
このセンサ部３０は、図５〜図７に示すように、人体の存在を感知するセンサ素子を備えた赤外線等の人感センサ３５（以下、「センサ素子３５」ともいう。）を備えている。このセンサ素子３５は、板状の支持台３５ａに取付けられている。この支持台３５ａには、図示しないセンサ制御回路が設けられている。このセンサ制御回路は、ＬＥＤモジュール５が搭載される回路基板３に設けてもよい。
【００４２】
このセンサ部３０は、図５〜図７に示すように、ケース部材３２及びキャップ部材３３からなる第２のカバー部材３１とキャップ状のジョイント部材３４とを備えている。このケース部材３２とキャップ部材３３とは、センサケースとして構成されている。この第２のカバー部材３１のケース部材３２側は、ジョイント部材３４の端部支持面に回転可能に取り付けられている。
【００４３】
一方のキャップ部材３３の側板部には、図５〜図７に示すように、センサ素子３５の検出窓部３３ａが形成されている。キャップ部材３３の開口端縁には、先端部分に取付孔を有する複数の矩形板状の弾性脚部３３ｂ，…，３３ｂが延設されている。その弾性脚部３３ｂは、ケース部材３２の隔壁３２ａに形成された２つの係止部３２ｇ，３２ｇに取付孔を介して取り付けられている。
【００４４】
このジョイント部材３４は、図５〜図７に示すように、回路基板３の端部に取り付けられており、ジョイント部材３４の中心に形成された貫通孔３４ｂを介して筒状の接続プラグ３６が回転不能に挿入固定されている。この接続プラグ３６は、図示しない配線を介して回路基板３の統括制御部２５に接続されている。このジョイント部材３４の端部支持面には、ケース部材３２と相対回転可能な回転支持部となる係合凹凸部３４ｃが形成されている。
【００４５】
このケース部材３２の内部は、図５〜図７に示すように、円盤状の隔壁３２ａによりキャップ部側筒部３２ｂとジョイント部側筒部３２ｃとに区画されている。このキャップ部側筒部３２ｂは、センサ収容部とされており、ジョイント部側筒部３２ｃは、回転部とされている。
【００４６】
このケース部材３２の隔壁３２ａの接続プラグ３６と対応する部位には、図５〜図７に示すように、貫通孔３２ｄが貫通して形成されている。この貫通孔３２ｄを介して軸状のセンサ接続ピン３７が接続プラグ３６の内部に回転可能に電気接触して支持されている。このセンサ接続ピン３７と同軸上に接続端子３７ａが一体に形成されている。この接続端子３７ａは、配線３７ｂを介して支持台３５ａのセンサ制御回路に接続されている。
【００４７】
このセンサ接続ピン３７の接続端子３７ａは、図５〜図７に示すように、ケース部材３２の隔壁３２ａに形成された２つのクリップ３２ｈ，３２ｈにより回転不能に挟み込まれて保持されている。センサ接続ピン３７のキャップ部側の端部は、センサ素子３５の支持台３５ａに回転不能に固定支持されている。
【００４８】
この接続プラグ３６がジョイント部材３４に回転不能に挿入固定されるとともに、センサ接続ピン３７が接続プラグ３６の内部に回転可能に電気接触して支持されていることから、センサ接続ピン３７を回転中心として、第２のカバー部材３１は、ジョイント部材３４に対して回転するようになっている。このジョイント部材３４に対する取付角度に応じてジョイント部材３４と第２のカバー部材３１との相対的角度を位置決めすることで、センサ素子３５の監視範囲の方向が設定される。
【００４９】
このケース部材３２のジョイント部側の筒部内周面は、図５〜図７に示すように、ジョイント部材３４の端部支持面に挿入支持される円環状の空間を形成している。このジョイント部側筒部内周面には、半径方向内側に突出する３個の鉤部３２ｆ，３２ｆ，３２ｆが回転線軸線に沿って一列に形成されている。
【００５０】
３個の鉤部３２ｆのうちの中央の鉤部３２ｆは、図５〜図７に示すように、鉤部３２ｆを支持する弾性舌部からなる弾性片３２ｅに一体形成されている。この弾性片３２ｅは、ジョイント部材３４の係合凹凸部３４ｃにケース部材３２を回転可能に弾性支持する機能を有する。このケース部材３２の回転停止位置は、弾性片３２ｅにより調整可能に位置決めされる。
【００５１】
このセンサ部３０は、図５〜図７に示すように、センサ素子３５の方向を位置決めする位置決め手段を備えている。ジョイント部材３４の係合凹凸部３４ｃとケース部材３２の弾性片３２ｅとがセンサ素子３５の位置決め手段として構成されている。この係合凹凸部３４ｃは、弾性片３２ｅが有する弾性力を利用して、センサ素子３５の方向を安定して位置決めする所定の間隔及び高さをもって形成されている。
【００５２】
これにより、ジョイント部材３４に第２のカバー部材３１を組み付けるとき、あるいは第２のカバー部材３１をジョイント部材３４から取り外すときに、第２のカバー部材３１の組み付け又は取り外しをジョイント部材３４の係合凹凸部３４ｃの接離方向に沿って行うことができる。そのため、センサ素子３５の組み付け性と取り外し性とを向上させることができる。
【００５３】
このＬＥＤ照明灯１には更に、図４に示すように、ＬＥＤ照明灯１を設置した箇所における周囲の明るさを監視する照度センサ３８が設けられている。この照度センサ３８から出力された明るさ（照度）を示す信号を統括制御部２５が取得するように構成されている。
【００５４】
この統括制御部２５では、照度センサ３８から出力された照度に応じて、外部電力源から二次電池に充電する充電モード、外部電力源の電力によりＬＥＤモジュール５を点灯させる点灯モード、あるいは二次電池に蓄電された電力によりＬＥＤモジュール５を点灯させる点灯モードなどの各種のモードが選択的に実行される。
【００５５】
（第１の実施の形態の効果）
以上のように構成されたＬＥＤ照明灯１を採用することで、上記効果に加えて以下の効果が得られる。
【００５６】
（１）外観意匠性を損なわずに、ＬＥＤ照明灯１に人感機能、充放電機能や照明機能などの様々な機能を集約化及び一体化することが可能となる。
（２）他の機器に依存することなく、他の機器の動作とは独立してＬＥＤ照明灯１を動作させることが可能となる。
（３）商用電力を使用しないスタンドアローン型のＬＥＤ照明灯１をコンパクトに得ることができる。
（４）展示用物品を展示するための内部空間を有する販売機本体の内部空間に着脱自在に装着され、前記展示用物品を照明するＬＥＤ照明灯１であって、そのＬＥＤ照明灯１は、外部電力源からの電力を蓄える二次電池と、その二次電池から供給される電力により点灯する複数の光源と、二次電池を制御する制御部と、二次電池、光源、及び制御部を搭載する回路基板と、内部が回路基板に保持される管状の保持部材とを有する自動販売機用のＬＥＤ照明灯１が効果的に得られる。
【００５７】
［第２の実施の形態］
図８を参照すると、同図には、上記第１の実施の形態であるＬＥＤ照明灯１を備えた自動販売機の一構成例が模式的に例示されている。なお、同図において、上記第１の実施の形態と実質的に同じ部材には同一の部材名と符号を付している。従って、上記第１の実施の形態と実質的に同じ部材に関する詳細な説明は省略する。
【００５８】
（自動販売機の全体構成）
図８において、全体を示す符号１００は、各種の飲料を販売する自動販売機の一例を示している。図示例による自動販売機１００は、上下方向に長い直方型の筐体からなる販売機本体１０１を備えている。この販売機本体１０１は、前方に開口する箱体１０２と、その箱体１０２の前方開口部を開閉する扉体１０３とにより構成されている。この扉体１０３の前面上部は、前面パネル１０４を備えている。前面パネル１０４の材質は、例えば透明なアクリル板等の樹脂材からなる。
【００５９】
この扉体１０３の前面下部には、図８に示すように、紙幣を挿入・排出する紙幣入出口１０５、硬貨を投入する硬貨投入口１０６と、紙幣又は硬貨を返却する返却レバー１０７とが配設されている。この扉体１０３の前面下部には更に、釣銭切れ表示や挿入された紙幣又は投入された硬貨の金額の表示を行う金額表示器１０８と、釣銭を返却する釣銭返却口１０９と、商品を取り出す商品取出口１１０と、扉体１０３の開閉をロックするドアロック１１１とが配設されている。なお、符号１１２は、広告スペースである。
【００６０】
この前面パネル１０４の背面部には、図９に示すように、金属板材からなる背面パネル１１３が所定の間隔をもって平行に配置されている。前面パネル１０４の背面部及び背面パネル１１３の間に形成された空間１１４は、商品見本展示室とされている（以下、「商品見本展示室１１４」という。）。
【００６１】
この商品見本展示室１１４には、図８及び図９に示すように、下方及び前方に開口した展示筐体を有する商品見本展示台１１５が上段、中断、及び下段の三段一列に設置されている。その商品見本展示台１１５には、展示用物品である複数個の商品見本１１６，…，１１６が一列に陳列されている。商品見本展示台１１５の材質は、例えば透明なアクリル板等の樹脂材からなる。
【００６２】
この前面パネル１０４の前面部には、図８及び図９に示すように、押釦スイッチ１１７が複数個の商品見本１１６に対応して配設されている。商品見本展示台１１５の前面部には、商品見本１１６に関する情報、例えば価格や温冷等を表示する表示部１１８が備えられている。
【００６３】
この三段一列の商品見本展示台１１５のそれぞれには、図３、図６、図８及び図９に示すように、上記第１の実施の形態に係るＬＥＤ照明灯１が第１のカバー部材２１の回転凹部２１ｅと第２のカバー部材３１のケース部材３２とを介して回転可能に配置されている。ＬＥＤ照明灯１は、商品見本展示台１１５の正面に向けて照射面の角度が所要の角度となるように角度調整することで、商品見本１１６に対応した押釦スイッチ１１７及び表示部１１８を照明する。ＬＥＤ照明灯１の第２のカバー部材３１に搭載されたセンサ部３０は、例えば人体から放射される赤外線を感知するセンサ素子３５として用いられる。
【００６４】
このセンサ素子３５を所望の方向に傾斜配置することで、前面パネル１０４を介して所定の領域内に購買者が存在するか否かということが感知される。図示例では、このセンサ素子３５は、押釦スイッチ１１７の裏面に配置されているが、特に規定されるものではない。センサ素子３５としては、例えば価格や温冷等を表示する表示部１１８の裏面あるいは商品見本１１６の裏面に配置することが好適である。外観の見栄えを向上させることができる。
【００６５】
なお、図９において、センサ素子３５は、背面パネル１１３寄りに配置されているが、特に限定されるものではなく、例えば前面パネル１０４寄りに配置された構成であっても構わない。センサ素子３５の配置位置としては、センサ素子３５の特性に応じて適宜選択することが有効である。
【００６６】
この販売機本体１０１の上面部には、図４及び図８に示すように、太陽エネルギーを電気エネルギーに変換するソーラーパネル２００が設置されている。このソーラーパネル２００は、ＬＥＤ照明灯１のＤＣジャック２６を接続する図示しないＤＣプラグを備えている。このＤＣプラグが、ＬＥＤ照明灯１の電力供給部２０に接続される。複数のＬＥＤ照明灯１は、ソーラーパネル２００に対してディジーチェーンあるいは分岐などの様々な配線形態で接続することが可能である。
【００６７】
このソーラーパネル２００は、図４及び図８に示すように、インジケータ部２０１を備えている。このインジケータ部２０１は、ＬＥＤ照明灯１の外部通信用ジャック２９を接続する図示しない外部通信用プラグを備えている。このプラグが、ＬＥＤ照明灯１の統括制御部２５に電気的に接続される。このインジケータ部２０１には、二次電池の充電量を表示するためのＬＥＤ２０２と、ＬＥＤ輝度の高い全灯モード又は全灯モードよりもＬＥＤ輝度の低い微灯モードのいずれかに切り替えるためのモード切替スイッチ２０３などの各種の報知手段が設けられている。
【００６８】
このＬＥＤ照明灯１に設けられた照度センサ３８により、ＬＥＤ照明灯１を設置した箇所における周囲の明るさが監視される。ＬＥＤ照明灯１の統括制御部２５では、照度センサ３８から出力された照度に基づき、昼間状態から夜間状態へ移行することで販売機本体１０１の周囲の照度が下降したときは、ＬＥＤ照明灯１を点灯させる。一方、夜から朝へ移行することで販売機本体１０１の周囲の照度が上昇したときに、ＬＥＤ照明灯１が消灯される。
【００６９】
三段一列の商品見本展示台１１５のそれぞれに配置されたＬＥＤ照明灯１に照度センサ３８を備えているため、例えば上段のＬＥＤ照明灯１の発光を下段のＬＥＤ照明灯１に設けられた照度センサ３８が受光することで、上下段のＬＥＤ照明灯１を同期して点灯させることができる。
【００７０】
複数のＬＥＤ照明灯１のそれぞれの統括制御部２５は、図４に示すように、センサ素子３５からの信号に基づき他のＬＥＤ照明灯１の点灯制御を同期して行う機能を有している。複数のＬＥＤ照明灯１のうちのいずれかの統括制御部２５からの同期信号が接続された他の統括制御部２５に同期信号が入力されると、他の統括制御部２５に接続された照明部であるＬＥＤモジュール５が点灯又は消灯するようになっている。
【００７１】
ここで、同期信号は、例えばＨｉ（ハイ）及びＬｏ（ロー）の２値を有するものとする。この点灯制御の一例としては、信号値がＨｉの場合には、複数のＬＥＤ照明灯１のうちのいずれかの統括制御部２５は、他の統括制御部２５への送信指示を判断する。一方、信号値がＬｏの場合は、複数のＬＥＤ照明灯１のうちのいずれかの統括制御部２５は、他の統括制御部２５への送信停止指示を判断する。これにより、複数の統括制御部２５のそれぞれに接続された照明部であるＬＥＤモジュール５の全てを同期して点灯又は消灯させるという点灯制御が可能となる。
【００７２】
この点灯制御の他の一例としては、複数のＬＥＤ照明灯１のうちのいずれかの統括制御部２５に同期して点灯制御されているとき、統括制御部２５において、センサ素子３５からの信号値がＬｏであると判断した場合は、他のＬＥＤ照明灯１は、ＬＥＤ照明灯１のそれぞれに設けられた照度センサ３８から出力される照度を示す信号に基づいて同期せずに消灯させることも可能である。
【００７３】
なお、上記のように構成された自動販売機１００は、ＬＥＤ照明灯１及びソーラーパネル２００の構成を除いて、従来の販売機本体１０１と同様の仕様を有する一例を示している。従って、販売機本体１０１の形状や構造などは、図示例に限定されるものではない。
【００７４】
（第２の実施の形態の効果）
以上のように構成された自動販売機１００を採用することで、上記効果に加えて、以下の効果が得られる。
【００７５】
（１）ＬＥＤ照明灯１に二次電池及び各種のセンサを搭載した構成となっているので、販売機本体１０１に依存することなく、販売機本体１０１の動作態様とは独立してＬＥＤ照明灯１の発光態様を操作することが可能となる。
（２）複数のＬＥＤ照明灯１を個別に管理することが可能である。
（３）省エネルギー化を図ることができる自動販売機１００が効果的に得られる。
（４）販売機本体１０１に供給される商用電源を使用することなく、無電力によりＬＥＤ照明灯１の照明を確保することができる。
（５）販売機本体１０１の大きさやＬＥＤ照明灯１の配置位置に応じてＬＥＤ照明灯１のセンサ部３０の角度調整を行うことが可能であり、販売機本体１０１の多様なレイアウトに対応することが可能となり、デザイン上の自由度を高めることができる。それに加えて、自動販売機１の照明効果を高めることが可能となる。
（６）人感機能や充放電機能等の各種の機能を有するＬＥＤ照明灯１として構成したので、販売機本体１０１に対して配線作業を簡素化することができる。
（７）商品見本展示台１１５にＬＥＤ照明灯１を脱着可能に保持しているため、ＬＥＤ照明灯１の組立性を向上させることができるとともに、そのＬＥＤ照明灯１の点検、修理、交換や清掃等のメンテナンスが容易となる。
（８）ＬＥＤ照明灯１の消灯によって省エネルギー化を図りつつ、ＬＥＤ照明灯１の消灯状態でも、ＬＥＤ照明灯１のセンサ部３０の出力に基づき販売許容状態にあることを利用者に明示できる自動販売機１００が得られる。
（９）ＬＥＤ照明灯１のセンサ部３０の出力に基づき照明コントロールができるので、物品視認者の視覚に訴えるイルミネーション効果を持たせることが可能となる。  
【００７６】
［変形例］
上記各実施の形態及び変形例にあっては、例えば次に示すような他の変形例も可能である。
【００７７】
（１）図示例にあっては、１枚の回路基板３に複数個のＬＥＤ４を直列接続した構成を例示したが、これに限定されるものではない。回路基板３としては、例えば２枚の回路基板、あるいは３枚以上の回路基板を直列接続した構成であってもよく、複数個のＬＥＤ４を並列接続した構成であってもよい。
（２）ＬＥＤ照明灯１が上段、中断、及び下段の三段一列に設置された構成を例示したが、特に規定されるものではない。一段一列の商品見本展示台１１５を複数の商品見本展示台に区分することで、複数の商品見本展示台の複数の商品見本１１６に対応して複数のＬＥＤ照明灯１を配置する構成としてもよいことは勿論である。この場合は、複数の商品見本群に対応して背面パネル１１３を複数に区分して配置しても構わない。
（３）上記実施の形態に係る制御部は、ＣＰＵなどの各種の構成要素を実現する制御プログラム、制御プログラムを格納する記憶ユニット、外部接続用インターフェースを中心にハードウェアとソフトウェアとの任意の組合せにより実現される。その方法や装置としては、従来周知の各種の方法や装置を用いることができることは当業者には理解されるところであり、特に規定されるものではない。
（４）自動販売機１００としては、食券販売機、チケット販売機、たばこ等のパッケージ商品、缶又はペットボトル等に充填した飲料商品などの各種の自動販売機に効果的に使用することができる。
【００７８】
以上の説明からも明らかなように、上記各実施の形態、変形例及び図示例の中で説明した特徴の組合せの全てが本発明の課題を解決するための手段に必須であるとは限らない点に留意すべきである。
【符号の説明】
【００７９】
１…ＬＥＤ照明灯、２…パイプ部材、２ａ…凹部、２ｂ，２ｃ，３ｂ…取付孔、３…回路基板、３ａ…突片、４，２０２…ＬＥＤ、５…ＬＥＤモジュール、６…固定部材、２０…電力供給部、２１，３１…カバー部材、２１ａ，３４ａ…弾性支持突起、２１ｂ〜２１ｄ…挿入開口、２１ｅ…回転凹部、２２…電池パック、２３…充電制御部、２４…回路部、２５…統括制御部、２６…ＤＣジャック、２６ａ…プラグ挿入孔、２７…状態表示部、２８…操作スイッチ、２９…外部通信用ジャック、３０…センサ部、３２…ケース部材、３２ａ…隔壁、３２ｂ…キャップ部側筒部、３２ｃ…ジョイント部側筒部、３２ｄ，３４ｂ…貫通孔、３２ｅ…弾性片、３２ｆ…鉤部、３２ｇ…係止部、３２ｈ…クリップ、３３…キャップ部材、３３ａ…検出窓部、３３ｂ…弾性脚部、３４…ジョイント部材、３４ｃ…係合凹凸部、３５…センサ素子（人感センサ）、３５ａ…支持台、３６…接続プラグ、３７…センサ接続ピン、３７ａ…接続端子、３７ｂ…配線、３８…照度センサ、１００…自動販売機、１０１…販売機本体、１０２…箱体、１０３…扉体、１０４…前面パネル、１０５…紙幣入出口、１０６…硬貨投入口、１０７…返却レバー、１０８…金額表示器、１０９…釣銭返却口、１１０…商品取出口、１１１…ドアロック、１１２…広告スペース、１１３…背面パネル、１１４…空間（商品見本展示室）、１１５…商品見本展示台、１１６…商品見本、１１７…押釦スイッチ、１１８…表示部、２００…ソーラーパネル、２０１…インジケータ部、２０３…モード選択スイッチ
【図１】
2014010527.tif 000003
【図２】
2014010527.tif 000004
【図３】
2014010527.tif 000005
【図４】
2014010527.tif 000006
【図５】
2014010527.tif 000007
【図６】
2014010527.tif 000008
【図７】
2014010527.tif 000009
【図８】
2014010527.tif 000010
【図９】
2014010527.tif 000011